(57)【要約】【課題】  複数の画像データ受信装置が画像データ送信装置によって送信された同一の画像データを受信する場合において、映像信号の品質を確保しつつ、電源の投入時や、視聴するチャネル（画像コンテンツ）の切替え時でも、即座に映像を視聴することができる画像データ伝送システム、画像データ受信装置及び画像データ送信装置を提供する。【解決手段】  本発明に係る画像データ送信装置は、画像データブロックＢの送信タイミングよりも所定時間早い送信タイミングで、画像データブロックＢと同一の画像データを含むエラー訂正用画像データブロックＢ’を順次送信し、画像データ受信装置は、画像データブロックＢを用いた映像信号の再生開始前に、伝送エラーの訂正が完了した場合、エラー訂正用画像データブロックＢ’による映像信号の再生に切り替える。【選択図】  図７
2006157636.tif 000002
【特許請求の範囲】
【請求項１】
画像データ送信装置と、画像データ受信装置とを含む画像データ伝送システムであって、
前記画像データ送信装置は、
映像信号が符号化された画像データを少なくとも含む画像データブロックを順次送信する第１送信部と、
前記第１送信部によって送信される前記画像データブロックの送信タイミングよりも所定時間早い送信タイミングで、前記画像データブロックと同一の前記画像データ及びエラー訂正情報を含むエラー訂正用画像データブロックを順次送信する第２送信部と
を備え、
前記画像データ受信装置は、
通信ネットワークを介して受信した前記画像データブロックを用いて、前記映像信号を再生する第１再生部と、
前記通信ネットワークを介して受信した前記エラー訂正用画像データブロックに含まれる前記エラー訂正情報を用いて、前記通信ネットワーク上において発生した前記画像データの伝送エラーを訂正する伝送エラー訂正部と、
前記伝送エラー訂正部によって前記伝送エラーが訂正された前記画像データを用いて、前記映像信号を再生する第２再生部と、
前記画像データブロックを用いた前記映像信号の再生開始前に、前記伝送エラー訂正部による前記伝送エラーの訂正が完了した場合、前記第１再生部による前記映像信号の再生から、前記第２再生部による前記映像信号の再生に切り替える切替部と
を備えることを特徴とする画像データ伝送システム。
【請求項２】
前記所定時間は、前記伝送エラー訂正部によって前記伝送エラーを訂正するために要する時間に相当することを特徴とする請求項１に記載の画像データ伝送システム。
【請求項３】
前記画像データ送信装置は、前記画像データを構成するビット列の符号化順序にしたがって前記ビット列が伝送される前記画像データブロックを生成する画像データブロック生成部をさらに備えることを特徴とする請求項１または２に記載の画像データ伝送システム。
【請求項４】
前記第１送信部は、マルチキャストによって前記画像データブロックを送信し、前記第２送信部は、前記マルチキャストによって前記エラー訂正用画像データブロックを送信することを特徴とする請求項１乃至３の何れか一項に記載の画像データ伝送システム。
【請求項５】
前記第２送信部は、前記画像データブロックよりも高画質な前記画像データを含む前記エラー訂正用画像データブロックを、前記第１送信部によって送信される前記画像データブロックよりも高速な伝送速度によって送信することを特徴とする請求項１乃至４の何れか一項に記載の画像データ伝送システム。
【請求項６】
映像信号が符号化された画像データが分割された画像データブロック、及び前記画像データブロックの送信タイミングよりも所定時間早い送信タイミングで、前記画像データブロックと同一の前記画像データ及びエラー訂正情報を含むエラー訂正用画像データブロックを受信する画像データ受信装置であって、
通信ネットワークを介して受信した前記画像データブロックを用いて、前記映像信号を再生する第１再生部と、
前記通信ネットワークを介して受信した前記エラー訂正用画像データブロックに含まれる前記エラー訂正情報を用いて、前記通信ネットワーク上において発生した前記画像データの伝送エラーを訂正する伝送エラー訂正部と、
前記伝送エラー訂正部によって前記伝送エラーが訂正された前記画像データを用いて、前記映像信号を再生する第２再生部と、
前記画像データブロックを用いた前記映像信号の再生開始前に、前記伝送エラー訂正部による前記伝送エラーの訂正が完了した場合、前記第１再生部による前記映像信号の再生から、前記第２再生部による前記映像信号の再生に切り替える切替部と
を備えることを特徴とする画像データ受信装置。
【請求項７】
映像信号が符号化された画像データを少なくとも含む画像データブロックを順次送信する第１送信部と、
前記第１送信部によって送信される前記画像データブロックの送信タイミングよりも所定時間早い送信タイミングで、前記画像データブロックと同一の前記画像データ及びエラー訂正情報を含むエラー訂正用画像データブロックを順次送信する第２送信部と
を備えることを特徴とする画像データ送信装置。
【請求項８】
前記所定時間は、前記伝送エラー訂正部によって前記伝送エラーを訂正するために要する時間に相当することを特徴とする請求項７に記載の画像データ送信装置。
【請求項９】
前記画像データを構成するビット列の符号化順序にしたがって前記ビット列が伝送される前記画像データブロックを生成する画像データブロック生成部をさらに備えることを特徴とする請求項７または８に記載の画像データ送信装置。
【請求項１０】
前記第１送信部は、マルチキャストによって前記画像データブロックを送信し、前記第２送信部は、前記マルチキャストによって前記エラー訂正用画像データブロックを送信することを特徴とする請求項７乃至９の何れか一項に記載の画像データ送信装置。
【請求項１１】
前記第２送信部は、前記画像データブロック高画質な前記画像データを含む前記エラー訂正用画像データブロックを、前記第１送信部によって送信される前記画像データブロックよりも高速な伝送速度によって送信することを特徴とする請求項７乃至１０の何れか一項に記載の画像データ送信装置。
【発明の詳細な説明】
【技術分野】
【０００１】
本発明は、映像信号が符号化された画像データを含む画像データブロックを送受信する画像データ伝送システム、画像データ受信装置及び画像データ送信装置に関する。
【背景技術】
【０００２】
従来、ＭＰＥＧ−２（Moving Picture Expert Group-2）などの画像符号化方式に基づいて映像信号（例えば、ＲＧＢ信号）が符号化された画像データを、無線または有線による通信ネットワークを介して伝送する場合、当該画像データを所定サイズに分割して伝送する方法が広く用いられている。
【０００３】
具体的には、所定サイズに分割された画像データに、通信ネットワーク上において発生した当該画像データの伝送エラーを訂正するエラー訂正情報（例えば、パリティビット）が付加された“画像データブロック”が伝送される。
【０００４】
また、近年、従来の地上波放送や衛星放送に加え、インターネットなど、ＴＣＰ／ＩＰをベースとした通信ネットワーク上において、マルチキャストによる放送（いわゆるブロードバンド・ストリーミング放送）が実用化されている。
【０００５】
このようなブロードバンド・ストリーミング放送では、複数の画像データ受信装置（ＴＶ受像機やパーソナル・コンピュータなど）が、画像データ送信装置（放送用のサーバなど）からマルチキャストによって送信された同一の画像データ（実際にはＩＰパケット化された画像データブロック）を順次受信するため、ユニキャストのように、当該画像データ送信装置が、画像データ受信装置の要求に応じて、伝送エラーの発生したＩＰパケットを再送することができない。
【０００６】
そこで、マルチキャストによって送信されたＩＰパケットに含まれるエラー訂正情報を用い、画像データ受信装置において伝送エラーを訂正する方法が用いられている（例えば、特許文献１）。
【特許文献１】特開２００４−２０１１１１号公報（第７−８頁、第３，７図）
【発明の開示】
【発明が解決しようとする課題】
【０００７】
しかしながら、上述したマルチキャストによる放送には、次のような問題があった。すなわち、画像データ受信装置は、エラー訂正情報を用いて伝送エラーを訂正した後、画像データを映像信号に復号して出力するため、画像データのエラー訂正が完了するまで（例えば、１０秒間）映像信号を出力することができないといった問題があった。
【０００８】
すなわち、当該画像データ受信装置を用いて映像を視聴する視聴者は、当該画像データ受信装置の電源の投入時や、視聴するチャネル（画像コンテンツ）の切替え時、即座に映像を視聴することができず、不快感を抱くといった問題があった。
【０００９】
そこで、本発明は、このような状況に鑑みてなされたものであり、複数の画像データ受信装置が画像データ送信装置によって送信された同一の画像データを受信する場合において、映像信号の品質を確保しつつ、電源の投入時や、視聴するチャネル（画像コンテンツ）の切替え時でも、即座に映像を視聴することができる画像データ伝送システム、画像データ受信装置及び画像データ送信装置を提供することを目的とする。
【課題を解決するための手段】
【００１０】
上述した問題を解決するため、本発明は、次のような特徴を有している。まず、本発明の第１の特徴は、画像データ送信装置（画像送信サーバ１００）と、画像データ受信装置（ＴＶ受像機２００Ａ，ＰＣ２００Ｂ）とを含む画像データ伝送システムであって、前記画像データ送信装置が、映像信号が符号化された画像データ（画像データＤＴ）を少なくとも含む画像データブロック（画像データブロックＢ）を順次送信する第１送信部（通信Ｉ／Ｆ部１０１，画像データブロック生成部１０７）と、前記第１送信部によって送信される前記画像データブロックの送信タイミングよりも所定時間早い送信タイミングで、前記画像データブロックと同一の前記画像データ及びエラー訂正情報（パリティビットＰ）を含むエラー訂正用画像データブロック（エラー訂正用画像データブロックＢ’）を順次送信する第２送信部（通信Ｉ／Ｆ部１０１，エラー訂正用画像データブロック生成部１０９）とを備え、前記画像データ受信装置が、通信ネットワーク（通信ネットワーク１０）を介して受信した前記画像データブロックを用いて、前記映像信号を再生する第１再生部（映像信号再生部２０３）と、前記通信ネットワークを介して受信した前記エラー訂正用画像データブロックに含まれる前記エラー訂正情報を用いて、前記通信ネットワーク上において発生した前記画像データの伝送エラー（伝送エラーＥＲＲ）を訂正する伝送エラー訂正部（伝送エラー訂正部２０７）と、前記伝送エラー訂正部によって前記伝送エラーが訂正された前記画像データを用いて、前記映像信号を再生する第２再生部（映像信号再生部２０５）と、前記画像データブロックを用いた前記映像信号の再生開始前に、前記伝送エラー訂正部による前記伝送エラーの訂正が完了した場合、前記第１再生部による前記映像信号の再生から、前記第２再生部による前記映像信号の再生に切り替える切替部（映像信号切替部２０９）とを備えることを要旨とする。
【００１１】
かかる特徴によれば、伝送エラーが訂正されていない画像データ（画像データブロックに含まれる画像データ）を用いて映像信号が再生されるため、視聴者は、画像データ受信装置の電源の投入時や、視聴するチャネル（画像コンテンツ）の切替え時でも、即座に映像を視聴することができる。
【００１２】
つまり、画像データ受信装置の電源の投入時や、視聴するチャネル（画像コンテンツ）の切替え時に、即座に映像を視聴することができず、視聴者が不快感を抱くといった問題を回避することができる。
【００１３】
さらに、かかる特徴によれば、ある画像データブロックを用いた映像信号の再生開始前に、当該画像データブロックと同一の画像データを含むエラー訂正用画像データブロックの伝送エラーの訂正が完了した場合、第１再生部による映像信号の再生から、第２再生部による映像信号の再生に切り替えられる。
【００１４】
すなわち、伝送エラーの訂正が完了した場合には、伝送エラーの訂正が完了した画像データが用いられるため、画像データ受信装置の電源の投入時や、視聴するチャネル（画像コンテンツ）の切替え時でも即座に映像信号を再生しつつ、映像信号の品質を確保することができる。
【００１５】
本発明の第２の特徴は、本発明の第１の特徴に係り、前記所定時間が、前記伝送エラー訂正部によって前記伝送エラーを訂正するために要する時間に相当することを要旨とする。
【００１６】
本発明の第３の特徴は、本発明の第１または第２の特徴に係り、前記画像データ送信装置が、前記画像データを構成するビット列の符号化順序にしたがって前記ビット列が伝送される前記画像データブロックを生成する画像データブロック生成部（画像データブロック生成部１０７，エラー訂正用画像データブロック生成部１０９）をさらに備えることを要旨とする。
【００１７】
本発明の第４の特徴は、本発明の第１乃至第３の特徴に係り、前記第１送信部が、マルチキャストによって前記画像データブロックを送信し、前記第２送信部が、前記マルチキャストによって前記エラー訂正用画像データブロックを送信することを要旨とする。
【００１８】
本発明の第５の特徴は、本発明の第１乃至第４の特徴に係り、前記第２送信部が、前記画像データブロック高画質な前記画像データを含む前記エラー訂正用画像データブロックを、前記第１送信部によって送信される前記画像データブロックよりも高速な伝送速度によって送信することを要旨とする。
【００１９】
本発明の第６の特徴は、映像信号が符号化された画像データが分割された画像データブロック、及び前記画像データブロックの送信タイミングよりも所定時間早い送信タイミングで、前記画像データブロックと同一の前記画像データ及びエラー訂正情報を含むエラー訂正用画像データブロックを受信する画像データ受信装置であって、通信ネットワークを介して受信した前記画像データブロックを用いて、前記映像信号を再生する第１再生部と、前記通信ネットワークを介して受信した前記エラー訂正用画像データブロックに含まれる前記エラー訂正情報を用いて、前記通信ネットワーク上において発生した前記画像データの伝送エラーを訂正する伝送エラー訂正部と、前記伝送エラー訂正部によって前記伝送エラーが訂正された前記画像データを用いて、前記映像信号を再生する第２再生部と、前記画像データブロックを用いた前記映像信号の再生開始前に、前記伝送エラー訂正部による前記伝送エラーの訂正が完了した場合、前記第１再生部による前記映像信号の再生から、前記第２再生部による前記映像信号の再生に切り替える切替部とを備えることを要旨とする。
【００２０】
本発明の第７の特徴は、映像信号が符号化された画像データを少なくとも含む画像データブロックを順次送信する第１送信部と、前記第１送信部によって送信される前記画像データブロックの送信タイミングよりも所定時間早い送信タイミングで、前記画像データブロックと同一の前記画像データ及びエラー訂正情報を含むエラー訂正用画像データブロックを順次送信する第２送信部とを備える画像データ送信装置であることを要旨とする。
【００２１】
本発明の第８の特徴は、本発明の第７の特徴に係り、前記所定時間が、前記伝送エラー訂正部によって前記伝送エラーを訂正するために要する時間に相当することを要旨とする。
【００２２】
本発明の第９の特徴は、本発明の第７または第８の特徴に係り、前記画像データを構成するビット列の符号化順序にしたがって前記ビット列が伝送される前記画像データブロックを生成する画像データブロック生成部をさらに備えることを要旨とする。
【００２３】
本発明の第１０の特徴は、本発明の第７乃至第９の特徴に係り、前記第１送信部が、マルチキャストによって前記画像データブロックを送信し、前記第２送信部が、前記マルチキャストによって前記エラー訂正用画像データブロックを送信することを要旨とする。
【００２４】
本発明の第１１の特徴は、本発明の第７乃至第１０の特徴に係り、前記第２送信部が、前記画像データブロック高画質な前記画像データを含む前記エラー訂正用画像データブロックを、前記第１送信部によって送信される前記画像データブロックよりも高速な伝送速度によって送信することを要旨とする。
【発明の効果】
【００２５】
本発明の特徴によれば、複数の画像データ受信装置が画像データ送信装置によって送信された同一の画像データを受信する場合において、映像信号の品質を確保しつつ、電源の投入時や、視聴するチャネル（画像コンテンツ）の切替え時でも、即座に映像を視聴することができる画像データ伝送システム、画像データ受信装置及び画像データ送信装置を提供することができる。
【発明を実施するための最良の形態】
【００２６】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２７】
したがって、具体的な寸法などは以下の説明を参酌して判断すべきものである。また、図面相互間においても互いの寸法の関係や比率が異なる部分が含まれていることは勿論である。
【００２８】
（画像データ伝送システムの全体概略構成）
図１は、本実施形態に係る画像データ伝送システムの全体概略構成を示している。同図に示すように、本実施形態に係る画像データ伝送システムは、画像送信サーバ１００、ＴＶ受像機２００Ａ及びパーソナル・コンピュータ２００Ｂ（以下、ＰＣ２００Ｂ）とによって構成されている。
【００２９】
画像送信サーバ１００は、ＲＧＢ信号（アナログまたはディジタル）などの映像信号（動画）が符号化された画像データＤＴ（図３（ａ）参照）及び画像データＤＴの伝送エラーＥＲＲ（図６（ａ）参照）を訂正するパリティビットＰ（エラー訂正情報、図４参照）を含む画像データブロックＢを送信する。
【００３０】
また、画像送信サーバ１００は、画像データブロックＢと同様の構成を有するエラー訂正用画像データブロックＢ’（図４参照）を送信するものである。画像送信サーバ１００は、本実施形態において、画像データ送信装置を構成する。
【００３１】
なお、本実施形態においては、音声（オーディオ）信号についても映像信号と同期して同様の処理が実行されるものとし、以下、映像信号及び画像データの処理について説明する。
【００３２】
ＴＶ受像機２００Ａ及びＰＣ２００Ｂは、通信ネットワーク１０を介して画像データブロックＢ及びエラー訂正用画像データブロックＢ’を受信するものであり、本実施形態において、画像データ受信装置を構成する。
【００３３】
具体的には、画像送信サーバ１００は、画像データブロックＢ及びエラー訂正用画像データブロックＢ’をＩＰパケット化し、いわゆる“ストリーミング・データ”として通信ネットワーク１０に送信する。また、画像送信サーバ１００は、当該ストリーミング・データをマルチキャストにより送信することができる。
【００３４】
通信ネットワーク１０は、ＩＰパケット化された画像データブロックＢ及びエラー訂正用画像データブロックＢ’を伝送するＴＣＰ／ＩＰベースの通信ネットワークである。なお、通信ネットワーク１０には、インターネットが含まれてもよい。
【００３５】
また、通信ネットワーク１０は、マルチキャストに対応しており、マルチキャスト対応ルータであるルータ２０Ａ，２０Ｂ，２０Ｃなどによって構成されている。
【００３６】
ＴＶ受像機２００Ａは、地上波放送や衛星放送の受信機能に加え、通信ネットワーク１０に接続することができるＴＶ受像機である。すなわち、ＴＶ受像機２００Ａは、マルチキャストによるストリーミング・データを受信し、当該ストリーミング・データに基づいて映像信号を再生することができる。
【００３７】
また、ＰＣ２００Ｂも、ＴＶ受像機２００Ａと同様に、当該ストリーミング・データに基づいて映像信号を再生することができる。なお、通信ネットワーク１０に接続される画像データ受信装置の数は、ＴＶ受像機２００Ａ及びＰＣ２００Ｂの２台に限定されるものではなく、さらに多数であってもよい。
【００３８】
さらに、本実施形態では、ＴＶ受像機２００Ａは、光ファイバー（ＦＴＴＨ）を用いてルータ２０Ａと接続されている。また、ＰＣ２００Ｂは、メタリック線（ＡＤＳＬ）を用いてルータ２０Ｂと接続されている。
【００３９】
（画像データ伝送システムの論理ブロック構成）
図２は、本実施形態に係る画像データ伝送システムを構成する画像送信サーバ１００及びＴＶ受像機２００Ａ（ＰＣ２００Ｂ）の論理ブロック構成図である。
【００４０】
なお、以下、本発明との関連がある部分について主に説明する。したがって、図２に示す画像送信サーバ１００、ＴＶ受像機２００Ａ及びＰＣ２００Ｂは、画像送信サーバ１００、ＴＶ受像機２００Ａ及びＰＣ２００Ｂの機能を実現する上で必須な、図示しない或いは説明を省略した論理ブロック（電源部など）を備える場合があることに留意されたい。
【００４１】
（１）画像送信サーバ
画像送信サーバ１００は、通信Ｉ／Ｆ部１０１、画像コンテンツ格納部１０３、画像データ配列部１０５、画像データブロック生成部１０７、エラー訂正用画像データブロック生成部１０９、パリティ付加部１１１及びマルチキャスト管理部１１３を備えている。
【００４２】
通信Ｉ／Ｆ部１０１は、通信ネットワーク１０と接続するための通信インターフェースを提供するものである。具体的には、通信Ｉ／Ｆ部１０１は、有線ＬＡＮインターフェース（例えば、100BASE-TX）によって構成されている。
【００４３】
さらに、通信Ｉ／Ｆ部１０１は、画像コンテンツ格納部１０３、画像データブロック生成部１０７、エラー訂正用画像データブロック生成部１０９及びマルチキャスト管理部１１３の論理ブロックと接続されており、当該論理ブロックや通信ネットワーク１０との間において送受される画像データＤＴや、ＩＰパケット化した画像データブロックＢ及びエラー訂正用画像データブロックＢ’などを中継するものである。
【００４４】
また、通信Ｉ／Ｆ部１０１は、ＩＰパケット化した画像データブロックＢ及びエラー訂正用画像データブロックＢ’を、マルチキャストによって送信する。具体的には、通信Ｉ／Ｆ部１０１は、当該ＩＰパケットにマルチキャストアドレスを割り当て、通信ネットワーク１０に当該ＩＰパケットを送信する。
【００４５】
画像コンテンツ格納部１０３は、画像データＤＴを格納するものである。具体的には、画像コンテンツ格納部１０３は、通信ネットワーク１０に接続されているアーカイブサーバ（不図示）またはＤＶＤなどの記録媒体（不図示）に記憶されている画像データＤＴの集合である画像コンテンツ（例えば、ＭＰＥＧ−２によって符号化された画像コンテンツ）を取得して格納するものである。
【００４６】
また、画像コンテンツ格納部１０３は、同一内容の画像コンテンツについて、画質の異なる複数の画像データＤＴを格納することができる。
【００４７】
具体的には、画像コンテンツ格納部１０３は、図８に示すように、同一内容の画像コンテンツについて、高ビットレート用（高画質）、中ビットレート用（中間画質）及び低ビットレート用（低画質）の３種類の画像データＤＴを格納する。なお、画質の異なる画像データＤＴの具体的な使用方法については、後述する。
【００４８】
画像データ配列部１０５は、画像データＤＴを構成するビット列（例えば、MPEG-2 TS）を２次元（行と列）のビット列に配列するものである。具体的には、画像データ配列部１０５は、図３（ａ）及び（ｂ）に示すように、符号化順序にしたがって連続する画像データＤＴのビット列（０，１，２，３，……ｍ−２，ｍ−１，ｍ、各１バイト）を、所定の行数（例えば、ｙ＝８）及び列数（例えば、４６）によって構成される“２次元ビット列ＤＴ２Ｄ”に配列する。
【００４９】
すなわち、画像データ配列部１０５は、図３（ｂ）において矢印で示すように、０（０列／０行），１，２，〜ｙ−１（０列／（ｙ−１）行），ｙ（１列／０行）と、ビット列の符号化順序にしたがって２次元ビット列ＤＴ２Ｄに配列する。
【００５０】
画像データブロック生成部１０７は、映像信号が符号化された画像データＤＴを含む画像データブロックＢを生成するものである。
【００５１】
エラー訂正用画像データブロック生成部１０９は、パリティビットＰ（エラー訂正情報）を含む画像データブロックＢであるエラー訂正用画像データブロックＢ’を生成するものである。
【００５２】
具体的には、画像データブロック生成部１０７及びエラー訂正用画像データブロック生成部１０９は、画像データＤＴを構成するビット列の符号化順序にしたがって当該ビット列が伝送される画像データブロックＢ及びエラー訂正用画像データブロックＢ’をそれぞれ生成する。
【００５３】
なお、本実施形態では、画像データブロックＢ及びエラー訂正用画像データブロックＢ’とも、画像データＤＴ及びパリティビットＰを含んでいるが、画像データブロックＢには、パリティビットＰを含まないようにしてもよい。
【００５４】
ここで、図４を参照して、画像データブロックＢ及びエラー訂正用画像データブロックＢ’の構成について説明する。図４に示すように、画像データブロック生成部１０７及びエラー訂正用画像データブロック生成部１０９は、画像データ配列部１０５によって配列された２次元ビット列ＤＴ２Ｄ（図３（ｂ）参照）、つまり、画像データＤＴを構成するビット列の符号化順序にしたがって配置されているビット列に、パリティビットＰ（エラー訂正情報）が付加された画像データブロックＢ、エラー訂正用画像データブロックＢ’をそれぞれ生成する。
【００５５】
すなわち、本実施形態では、画像データブロックＢ及びエラー訂正用画像データブロックＢ’は、ｙ行（例えば、ｙ＝８）×４６行から構成される画像データＤＴ（ビット列）と、パリティ付加部１１１によって各行に付加された４バイトのパリティビットとによって構成されている。
【００５６】
画像データブロックＢ及びエラー訂正用画像データブロックＢ’においては、図３（ｂ）において矢印で示したように、０（０列／０行），１，２，〜ｙ−１（０列／（ｙ−１）行），ｙ（１列／０行）と、ビット列の符号化順序にしたがって当該ビット列が順次伝送される。
【００５７】
なお、画像データブロックＢ及びエラー訂正用画像データブロックＢ’の行数、列数、及びパリティビットＰの数量は、本実施形態に限定されるものではなく、通信環境（例えば、通信ネットワーク１０の帯域）や要求される映像信号の品質などに応じて、適宜変更すればよい。
【００５８】
画像データブロック生成部１０７は、生成した画像データブロックＢを、通信Ｉ／Ｆ部１０１を介して通信ネットワーク１０に順次送信する。
【００５９】
本実施形態では、通信Ｉ／Ｆ部１０１と、画像データブロック生成部１０７とによって、第１送信部が構成される。
【００６０】
また、エラー訂正用画像データブロック生成部１０９は、画像データブロックＢの送信タイミングよりも所定時間早い送信タイミングで、画像データブロックＢと同一の画像データＤＴを含むエラー訂正用画像データブロックＢ’を、通信Ｉ／Ｆ部１０１を介して通信ネットワーク１０に順次送信する。
【００６１】
本実施形態では、通信Ｉ／Ｆ部１０１と、エラー訂正用画像データブロック生成部１０９とによって、第２送信部が構成される。
【００６２】
具体的には、エラー訂正用画像データブロック生成部１０９は、ＴＶ受像機２００Ａ（具体的には、後述する伝送エラー訂正部２０７）が伝送エラーＥＲＲ（図６（ａ）参照）を訂正するために要する時間に相当する時間（例えば、１０秒）早く、画像データブロックＢと同一の画像データＤＴを含むエラー訂正用画像データブロックＢ’を送信する。
【００６３】
なお、画像データブロック生成部１０７及びエラー訂正用画像データブロック生成部１０９による画像データブロックＢ、エラー訂正用画像データブロックＢ’のより具体的な送信方法については、後述する。
【００６４】
また、エラー訂正用画像データブロック生成部１０９は、画像データブロックＢよりも高画質なエラー訂正用画像データブロックＢ’を、画像データブロック生成部１０７によって送信される画像データブロックＢよりも高速な伝送速度（ビットレート）によって送信することができる。
【００６５】
例えば、エラー訂正用画像データブロック生成部１０９は、画像コンテンツ格納部１０３に格納されている中間画質（図８参照）の画像データＤＴを含む画像データブロックＢが、０．５Ｍｂｐｓ程度のビットレートによって送信されている場合、高画質（図８参照）の画像データＤＴを含むエラー訂正用画像データブロックＢ’を１．５Ｍｂｐｓ程度のビットレートによって送信する。
【００６６】
パリティ付加部１１１は、上述したように、画像データ配列部１０５によって配列された２次元ビット列ＤＴ２Ｄの内容に基づいて、付加するべきパリティビットＰの値を演算する。さらに、パリティ付加部１１１は、当該演算の結果に基づいて、パリティビットＰを２次元ビット列ＤＴ２Ｄに付加する。
【００６７】
マルチキャスト管理部１１３は、ＴＶ受像機２００Ａ及びＰＣ２００Ｂによる要求に応じて、マルチキャストグループに参加したり、離脱したりする画像データ受信装置の情報を管理するものである。
【００６８】
（２）ＴＶ受像機・ＰＣ
ＴＶ受像機２００Ａ及びＰＣ２００Ｂは、画像データＤＴの受信や再生に関して、同様の機能を有しているため、以下、ＴＶ受像機２００Ａの論理ブロック構成について説明する。
【００６９】
通信Ｉ／Ｆ部２０１は、通信Ｉ／Ｆ部１０１と同様に、通信ネットワーク１０と接続するための通信インターフェースを提供するものである。具体的には、通信Ｉ／Ｆ部１０１は、有線ＬＡＮインターフェース（例えば、100BASE-TX）によって構成されている。
【００７０】
また、通信Ｉ／Ｆ部２０１は、映像信号再生部２０３、映像信号再生部２０５及びマルチキャスト制御部２１１と接続されている。
【００７１】
通信Ｉ／Ｆ部２０１は、通信ネットワーク１０を介して受信した画像データブロックＢ及びエラー訂正用画像データブロックＢ’を、映像信号再生部２０３または映像信号再生部２０５に出力する。
【００７２】
また、通信Ｉ／Ｆ部２０１は、ＩＰパケットに割り当てられているマルチキャストアドレスに基づいて、画像データブロックＢ及びエラー訂正用画像データブロックＢ’を、映像信号再生部２０３または映像信号再生部２０５に何れに出力するかを判定する。
【００７３】
また、通信Ｉ／Ｆ部２０１は、マルチキャスト制御部２１１によって出力されるマルチキャストグループへの参加などの要求を通信ネットワーク１０に送信する。
【００７４】
映像信号再生部２０３は、通信Ｉ／Ｆ部２０１が受信した画像データブロックＢを用いて、映像信号を再生するものである。本実施形態において、映像信号再生部２０３は、第１再生部を構成する。
【００７５】
具体的には、映像信号再生部２０３は、図５に示すように、通信Ｉ／Ｆ部２０１を介して、ＩＰパケット化された画像データＤＴ’を取得し、画像データＤＴ’を用いて映像信号を再生する。画像データＤＴ’は、画像送信サーバ１００の画像データブロック生成部１０７によって生成された画像データブロックＢが通信Ｉ／Ｆ部１０１によって分割され、ＩＰパケット化されたものである。
【００７６】
映像信号再生部２０３は、通信ネットワーク１０上において発生した伝送エラーＥＲＲを訂正することなく、画像データＤＴ’の先頭部分を受信次第、画像データＤＴ’を用いて映像信号を順次再生する。
【００７７】
すなわち、画像データＤＴ’が伝送エラーＥＲＲ（ビット誤りやＩＰパケットの欠落）を含む場合でも、映像信号再生部２０３は、伝送エラーＥＲＲを含む画像データＤＴ’を用いて映像信号を順次再生するため、映像が大きく乱れたり、停止したりする場合もある。
【００７８】
また、映像信号再生部２０３では、画像データＤＴ’（画像データブロックＢ）に含まれているパリティビットＰはフィルタリングされ、映像信号再生部２０３での処理には用いられない。
【００７９】
映像信号再生部２０５は、伝送エラー訂正部２０７によって伝送エラーＥＲＲが訂正された画像データＤＴを用いて、映像信号を再生するものである。本実施形態において、映像信号再生部２０５は、第２再生部を構成する。
【００８０】
具体的には、映像信号再生部２０５は、伝送エラー訂正部２０７によって出力される画像データＤＴを用いて映像信号を順次再生する。
【００８１】
伝送エラー訂正部２０７は、通信Ｉ／Ｆ部２０１が受信したエラー訂正用画像データブロックＢ’に含まれるパリティビットＰ（エラー訂正情報）を用いて、通信ネットワーク１０上において発生した画像データＤＴの伝送エラーＥＲＲを訂正するものである。
【００８２】
ここで、図６（ａ）〜（ｃ）は、エラー訂正用画像データブロックＢ’に含まれる画像データＤＴの伝送エラーＥＲＲが訂正される様子を示している。
【００８３】
図６（ａ）は、通信Ｉ／Ｆ部２０１が受信し、伝送エラー訂正部２０７によって２次元ビット列ＤＴ２Ｄの形態に再び配列されたエラー訂正用画像データブロックＢ’の構成を示している。図６（ａ）に示すように、エラー訂正用画像データブロックＢ’の画像データ部分（２次元ビット列ＤＴ２Ｄの部分）には、バースト状の伝送エラーＥＲＲ（４５列／１行〜４５列／（ｙ−２）行において“×”によって表示されている部分）が含まれている。
【００８４】
図６（ｂ）は、図６（ａ）に示したパリティビットＰを用いて、伝送エラー訂正単位ＵＥＲＲごとに伝送エラーＥＲＲが訂正された訂正後データＣＲ（“○”によって表示されている部分）を含む２次元ビット列ＤＴ２Ｄを示している。また、図６（ｂ）では、パリティビットＰは、取り除かれている。
【００８５】
図６（ｃ）は、図６（ｂ）に示した２次元ビット列ＤＴ２Ｄが展開された画像データＤＴを示している。図６（ｃ）に示す画像データＤＴには、伝送エラー訂正部２０７によって伝送エラーＥＲＲが訂正された訂正後データＣＲが含まれている。
【００８６】
映像信号切替部２０９は、画像データブロックＢを用いた映像信号の再生開始前に、画像データブロックＢと同一の画像データＤＴを含むエラー訂正用画像データブロックＢ’の伝送エラーＥＲＲの訂正が完了した場合、映像信号再生部２０３による映像信号の再生から、映像信号再生部２０５による映像信号の再生に切り替えるものである。本実施形態において、映像信号切替部２０９は、切替部を構成する。
【００８７】
具体的には、映像信号再生部２０３によって出力される映像信号、つまり、画像データブロックＢを用いた映像信号の再生開始前に、画像データブロックＢと同一の画像データＤＴを含むエラー訂正用画像データブロックＢ’を用いて再生された映像信号が映像信号再生部２０５によって出力された場合、映像信号切替部２０９は、映像信号再生部２０５による映像信号の再生に切り替える。なお、より具体的な映像信号切替部２０９の動作については、後述する。
【００８８】
マルチキャスト制御部２１１は、ＴＶ受像機２００Ａが、特定のマルチキャストグループに参加したり、離脱したりするためのメッセージを送受信するものである。また、マルチキャスト制御部２１１は、マルチキャストによって画像送信サーバ１００から送信されるＩＰパケット化された画像データブロックＢやエラー訂正用画像データブロックＢ’などを受信するためのプロトコル（ＩＧＭＰなど）にしたがった制御などを実行するものである。
【００８９】
（画像データ伝送システムの動作）
次に、上述した本実施形態に係る画像データ伝送システムの動作について、説明する。図７は、画像送信サーバ１００によって送信され、ＴＶ受像機２００Ａによって受信される画像データブロックＢ及びエラー訂正用画像データブロックＢ’の時間的な関係を示している。
【００９０】
同図の上段部分（図中の“ＴＸ”）に示すように、画像送信サーバ１００は、チャネル１（ＣＨ１）用として、伝送エラーＥＲＲ（図６（ａ）参照）を訂正せずに映像信号の再生に用いられる画像データブロックＢ（Ｂ１ＣＨ１〜Ｂ５ＣＨ１）と、伝送エラーＥＲＲを訂正した後に映像信号の再生に用いられるエラー訂正用画像データブロックＢ’（Ｂ２’ＣＨ１〜Ｂ６’ＣＨ１）をマルチキャストにより順次送信する。
【００９１】
同図に示すように、画像送信サーバ１００は、画像データブロックＢの送信タイミングよりも所定時間早い送信タイミングで、画像データブロックＢ（例えば、Ｂ３ＣＨ１）と同一の画像データＤＴを含むエラー訂正用画像データブロックＢ’（例えば、Ｂ３’ＣＨ１）を順次送信する。
【００９２】
具体的には、画像送信サーバ１００は、ＴＶ受像機２００Ａ（伝送エラー訂正部２０７）が伝送エラーＥＲＲを訂正するために要する時間に相当する時間（例えば、１０秒）早く、画像データブロックＢ（例えば、Ｂ３ＣＨ１）と同一の画像データＤＴを含むエラー訂正用画像データブロックＢ’（例えば、Ｂ３’ＣＨ１）を送信する。
【００９３】
また、本実施形態では、図８に示すように、伝送エラーＥＲＲが訂正されない画像データブロックＢ用として、中ビットレート用、すなわち、中間画質の画像データＤＴが用いられる。また、伝送エラーＥＲＲが訂正されるエラー訂正用画像データブロックＢ’として、高ビットレート用、すなわち、高画質の画像データＤＴが用いられる。
【００９４】
なお、図８に示す各画像データＤＴは、上述したように、画像コンテンツ格納部１０３に格納されている。また、図８に示す各画像データＤＴは、一定時間のシーン（Ｓ）ごとに区切られて管理されており、一般的に、ビットレート（画質）が向上するにしたがって、データサイズが大きくなっている（例えば、同図では、高画質シーンＳ３Ｈの幅は、中間画質シーンＳ２Ｍの幅よりも大きくなっている）。
【００９５】
さらに、図８に示す各画像データＤＴは、上述したように通信ネットワーク１０への送信タイミングをオフセットして送信されるため、各画像データＤＴは、時間的にオフセットした状態で管理されている。
【００９６】
例えば、低画質シーンＳ１Ｌは、当該シーンよりも時間的に後に位置する中間画質シーンＳ２Ｍ、及び高画質シーンＳ３Ｈと合わせて管理されている。また、各画像データＤＴには、マルチキャストアドレス（図では、Ａ〜Ｃと略して表示）がそれぞれ対応付けられている。
【００９７】
また、画像送信サーバ１００は、ＣＨ１と同様に、ＣＨ２用として、画像データブロックＢ（Ｂ１ＣＨ２〜Ｂ５ＣＨ２）と、エラー訂正用画像データブロックＢ’（Ｂ２’ＣＨ２〜Ｂ６’ＣＨ２）をマルチキャストにより順次送信する。
【００９８】
このような状況において、ＴＶ受像機２００Ａは、同図の下段部分（図中の“ＲＸ”）に示すように、画像データブロックＢまたはエラー訂正用画像データブロックＢ’を用いて映像信号を再生する。
【００９９】
具体的には、ステップＳ１０において、ＴＶ受像機２００Ａでは、視聴者によって電源が投入され、前回の電源切断時に選択されていたＣＨ１が引き続き選択される。
【０１００】
ＴＶ受像機２００Ａは、電源が投入されると、まず画像データブロックＢを用いて映像信号を再生する。具体的には、ＴＶ受像機２００Ａは、電源が投入されたタイミングにおいて受信している画像データブロックＢ１ＣＨ１〜Ｂ２ＣＨ１を用いて映像信号を順次再生する。
【０１０１】
また、ＴＶ受像機２００Ａは、画像データブロックＢ２ＣＨ１を用いて映像信号を再生する間、同時期に受信したエラー訂正用画像データブロックＢ３’ＣＨ１に含まれている画像データＤＴの伝送エラーＥＲＲを訂正する。
【０１０２】
ステップＳ２０において、ＴＶ受像機２００Ａは、画像データブロックＢを用いた映像信号の再生から、エラー訂正用画像データブロックＢ’を用いた映像信号の再生に切り替える。
【０１０３】
すなわち、ステップＳ２０のタイミングでは、既にエラー訂正用画像データブロックＢ３’ＣＨ１に含まれている画像データＤＴの伝送エラーＥＲＲの訂正が完了しているため、エラー訂正用画像データブロックＢ３’ＣＨ１を用いた映像信号の再生に切り替える。
【０１０４】
この後、ＴＶ受像機２００Ａは、エラー訂正用画像データブロックＢ’（Ｂ３’ＣＨ１〜Ｂ４’ＣＨ１）を用いて、映像信号を順次再生する。
【０１０５】
なお、上述したように、エラー訂正用画像データブロックＢ’には、高画質の画像データＤＴが用いられているため、ＴＶ受像機２００Ａは、当該切替え後は、高画質な映像信号を再生することができる。
【０１０６】
ステップＳ３０において、ＴＶ受像機２００Ａでは、視聴者によってＣＨ２が選択される。ＴＶ受像機２００Ａは、ＣＨ２が選択されると、まず画像データブロックＢを用いて映像信号を再生する。具体的には、ＴＶ受像機２００Ａは、ＣＨ２が選択されたタイミングにおいて受信している画像データブロックＢ２ＣＨ２〜Ｂ３ＣＨ２を用いて映像信号を再生する。
【０１０７】
また、ＴＶ受像機２００Ａは、画像データブロックＢ３ＣＨ２を用いて映像信号を順次再生する間、同時期に受信したエラー訂正用画像データブロックＢ４’ＣＨ２に含まれている画像データＤＴの伝送エラーＥＲＲを訂正する。
【０１０８】
ステップＳ４０において、ＴＶ受像機２００Ａは、画像データブロックＢを用いた映像信号の再生から、エラー訂正用画像データブロックＢ’を用いた映像信号の再生に切り替える。
【０１０９】
以上、上述した本実施形態に係る画像データ伝送システムの動作について、ＴＶ受像機２００Ａを例として説明したが、ＰＣ２００Ｂの場合、上述したようにメタリック線（ＡＤＳＬ）を用いて通信ネットワーク１０（ルータ２０Ｂ）に接続されているため、ＴＶ受像機２００Ａと通信ネットワーク１０（ルータ２０Ａ）との接続に用いられていたＦＴＴＨのように、高ビットレートによる画像データＤＴの伝送が難しい。
【０１１０】
そこで、このような場合、画像データブロックＢ用として、低ビットレート用、すなわち、低画質の画像データＤＴを用い、エラー訂正用画像データブロックＢ’として、中ビットレート用、すなわち、中間画質の画像データＤＴを用いればよい。
【０１１１】
（作用・効果）
以上説明した本実施形態に係る画像データ伝送システムによれば、伝送エラーＥＲＲが訂正されていない画像データＤＴ（画像データブロックＢに含まれる画像データＤＴ）を用いて映像信号が再生されるため、視聴者は、ＴＶ受像機２００Ａ（ＰＣ２００Ｂ）の電源の投入時や、視聴するチャネル（画像コンテンツ）の切替え時でも、即座に映像を視聴することができる。
【０１１２】
つまり、ＴＶ受像機２００Ａ（ＰＣ２００Ｂ）の電源の投入時や、視聴するチャネルの切替え時に、即座に映像を視聴することができず、視聴者が不快感を抱くといった問題を回避することができる。
【０１１３】
さらに、本画像データ伝送システムによれば、画像データブロックＢを用いた映像信号の再生開始前に、画像データブロックＢと同一の画像データＤＴを含むエラー訂正用画像データブロックＢ’の伝送エラーＥＲＲの訂正が完了した場合、映像信号再生部２０３による映像信号の再生から、映像信号再生部２０５による映像信号の再生に切り替えられる。
【０１１４】
すなわち、伝送エラーＥＲＲの訂正が完了した場合には、伝送エラーＥＲＲの訂正が完了した画像データＤＴが用いられるため、ＴＶ受像機２００Ａ（ＰＣ２００Ｂ）の電源の投入時や、視聴するチャネル（画像コンテンツ）の切替え時でも即座に映像信号を再生しつつ、映像信号の品質を確保することができる。
【０１１５】
本画像データ伝送システムによれば、エラー訂正用画像データブロックＢ’が、同一の画像データＤＴを含む画像データブロックＢよりも、ＴＶ受像機２００Ａ（伝送エラー訂正部２０７）が伝送エラーＥＲＲを訂正するために要する時間に相当する時間（例えば、１０秒）早く送信されるため、映像信号再生部２０５において再生に用いられずに滞留するエラー訂正用画像データブロックＢ’の数量が大きく増大することを回避することができる。
【０１１６】
本画像データ伝送システムによれば、画像データＤＴを構成するビット列の符号化順序にしたがって当該ビット列が伝送される画像データブロックＢが用いられるため、ＴＶ受像機２００Ａは、画像データブロックＢの先頭部分を受信次第、順次映像信号を再生することができる。
【０１１７】
このため、ＴＶ受像機２００Ａの電源の投入時や、視聴するチャネル（画像コンテンツ）の切替え時に、さらに迅速に映像信号を再生することができる。
【０１１８】
画像データＤＴを伝送する場合、伝送エラーＥＲＲによる映像信号の品質への影響の低減などのため、当該ビット列は、符号化順序ではなく、画像データブロック上にランダムに配置（いわゆるインターリーブ）されることが一般的である。この場合、当該画像データブロックを構成する全てのビットを受信しないと映像信号の再生ができない場合があるのである。
【０１１９】
本画像データ伝送システムによれば、マルチキャストによって、ＩＰパケット化された画像データブロックＢ及びエラー訂正用画像データブロックＢ’が送信されるため、複数のストリーミング・データを通信ネットワーク１０の帯域を浪費することなく、効率的に送信することができる。
【０１２０】
本画像データ伝送システムによれば、画像データブロックＢよりも高画質なエラー訂正用画像データブロックＢ’を、画像データブロックＢよりも高速な伝送速度（ビットレート）によって送信することができるため、画像データブロックＢの伝送においては、伝送エラーＥＲＲによる画質への影響を軽減させつつ、エラー訂正用画像データブロックＢ’を用いた高画質な映像信号の再生を実現することができる。
【０１２１】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１２２】
例えば、上述した本発明の実施形態では、エラー訂正用画像データブロックＢ’が、同一の画像データＤＴを含む画像データブロックＢよりも、ＴＶ受像機２００Ａ（伝送エラー訂正部２０７）が伝送エラーＥＲＲを訂正するために要する時間に相当する時間（例えば、１０秒）早く送信される形態としたが、当該時間は、１０秒以外、例えば、画像データブロックＢの伝送時間に応じて決定してもよい。
【０１２３】
また、上述した本発明の実施形態では、画像データＤＴを構成するビット列の符号化順序にしたがって当該ビット列が伝送される画像データブロックＢ及びエラー訂正用画像データブロックＢ’が用いられていたが、画像データブロックＢ及びエラー訂正用画像データブロックＢ’は、必ずしもビット列の符号化順序にしたがって当該ビット列が伝送されるように構成されていなくてもよい。
【０１２４】
さらに、上述した本発明の実施形態では、マルチキャストによって、ＩＰパケット化された画像データブロックＢ及びエラー訂正用画像データブロックＢ’が送信される形態としたが、画像データブロックＢ及びエラー訂正用画像データブロックＢ’は、必ずしもマルチキャストによって送信しなくても構わない。
【０１２５】
また、上述した本発明の実施形態では、画像データブロックＢよりも高画質なエラー訂正用画像データブロックＢ’を、画像データブロックＢよりも高速なビットレートによって送信する形態としたが、例えば、エラー訂正用画像データブロックＢ’は、画像データブロックＢと同等の画質、または同等のビットレートで送信されてもよい。
【０１２６】
また、上述した本発明の実施形態では、動画像（ＭＰＥＧ−２によって符号化された画像コンテンツ）を対象としたが、本発明は、動画像以外の画像、例えば、静止画像や、静止画像と動画像の中間的な性質の画像（例えば、モーションＪＰＥＧ）にも適用することができる。
【０１２７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１２８】
【図１】本発明の実施形態に係る画像データ伝送システムの全体概略構成図である。
【図２】本発明の実施形態に係る画像データ伝送システムの論理ブロック構成図である。
【図３】本発明の実施形態に係る画像データ伝送システムにおいて用いられる画像データ及び２次元ビット列の一例を示す図である。
【図４】本発明の実施形態に係る画像データ伝送システムにおいて用いられる画像データブロック及びエラー訂正用画像データブロックの一例を示す図である。
【図５】本発明の実施形態に係る画像データ受信装置における映像信号の再生に用いられるＩＰパケット化された画像データの一例を示す図である。
【図６】本発明の実施形態に係る画像データ受信装置において実行される伝送エラーの訂正の様子を説明する説明図である。
【図７】本発明の実施形態に係る画像データ送信装置によって送信され、画像データ受信装置によって受信される画像データブロック及びエラー訂正用画像データブロックの時間的な関係を示す図である。
【図８】本発明の実施形態に係る画像データ受信装置に格納される画像コンテンツの一例を示す図である。
【符号の説明】
【０１２９】
１０…通信ネットワーク、２０Ａ，２０Ｂ，２０Ｃ…ルータ、１００…画像送信サーバ、１０１…通信Ｉ／Ｆ部、１０３…画像コンテンツ格納部、１０５…画像データ配列部、１０７…画像データブロック生成部、１０９…エラー訂正用画像データブロック生成部、１１１…パリティ付加部、１１３…マルチキャスト管理部、２００Ａ…ＴＶ受像機、２００Ｂ…ＰＣ（パーソナル・コンピュータ）、２０１…通信Ｉ／Ｆ部、２０３…映像信号再生部、２０５…映像信号再生部、２０７…伝送エラー訂正部、２０９…映像信号切替部、２１１…マルチキャスト制御部、Ｂ…画像データブロック、Ｂ’…エラー訂正用画像データブロック、ＣＲ…訂正後データ、ＤＴ，ＤＴ’…画像データ、ＥＲＲ…伝送エラー、Ｐ…パリティビット、ＵＥＲＲ…伝送エラー訂正単位
【図１】
2006157636.tif 000003
【図２】
2006157636.tif 000004
【図３】
2006157636.tif 000005
【図４】
2006157636.tif 000006
【図５】
2006157636.tif 000007
【図６】
2006157636.tif 000008
【図７】
2006157636.tif 000009
【図８】
2006157636.tif 000010